(57)【要約】【課題】複数の利用者に同時にポスターの詳細情報を提供可能として詳細情報の利用効率を高め、掲示したポスターに対する詳細情報を確実に提供可能とする。【解決手段】表示／操作ユニット１の両側に、ポスターユニット２Ａ，２Ｂが設けられている。ポスターユニット２Ａ，２Ｂのポスター貼付面４にポスターが貼り付けられ、ＩＣタグリーダ５がポスターのＩＣタグを読み取ると、これにより、表示／操作ユニット１がこのポスターの詳細情報を図示しないサーバから取得する。利用者が興味あるポスターが貼られたポスターユニット２Ａ，２Ｂの近くに立つと、これを顧客センサが検出することにより、表示／操作ユニット１がこのポスターの詳細情報をディスプレイ３ａ，３ｂのいずれかに表示し、利用者が表示／操作ユニット１側に立つと、この詳細情報が下側のディスプレイ３ｂに表示する。その後ろに他の利用者が立つと、上側のディスプレイ３ａに詳細情報を表示する。【選択図】図１
2006030882.tif 000002
【特許請求の範囲】
【請求項１】
ポスターを貼り付けるポスター貼付面を備えたポスターユニットと、該ポスター貼付面に貼り付けられたポスターの広告内容に関する詳細情報を表示する表示／操作ユニットとからなる情報表示操作端末であって、
該ポスターユニットは、該ポスター貼付面に利用者の接近を検出する第１の顧客センサを備え、
該表示／操作ユニットは、
第１のディスプレイと、
該第１のディスプレイの上側に配置された第２のディプレイと、
該第１の顧客センサによる該ポスター貼付面への利用者の接近の検出に伴って該ポスター貼付面に貼り付けられた該ポスターの詳細情報を該第１，第２のディスプレイの少なくともいずれかに表示させる制御手段と
を備えたことを特徴とする情報表示操作端末。
【請求項２】
請求項１において、
前記表示／操作ユニットは、前記表示／操作ユニットへの利用者の接近を検出する第２の顧客センサを備え、
前記制御手段は、前記表示／操作ユニットから所定の距離を超えて離れた利用者を該第２の顧客センサが検出したとき、前記ポスター貼付面に貼り付けられた前記ポスターの詳細情報を前記第２のディスプレイに表示させ、利用者が前記表示／操作ユニットに該所定の距離以内に近接したことを該第２の顧客センサが検出したとき、前記ポスター貼付面に貼り付けられた前記ポスターの詳細情報を前記第１のディスプレイに表示させることを特徴とする情報表示操作端末。
【請求項３】
ポスターを貼り付けるポスター貼付面を備えた第１，第２のポスターユニットと、該ポスター貼付面に貼り付けられたポスターの広告内容に関する詳細情報を表示する表示／操作ユニットとからなる情報表示操作端末であって、
該表示／操作ユニットは、該第１，第２のポスターユニットの間に配置され、
該第１，第２のポスターユニットは夫々、該ポスター貼付面に利用者の接近を検出する第１の顧客センサを備え、
前記表示／操作ユニットは、
第１のディスプレイと、
該第１のディスプレイの上側に配置された第２のディプレイと、
第２の顧客センサと、
該第１の顧客センサによる該第１，第２のポスターユニットでの該ポスター貼付面への利用者の接近の検出に伴って、該ポスター貼付面に貼り付けられた該ポスターの詳細情報を該第１，第２のディスプレイの少なくともいずれかに表示させる制御手段と
を備え、
該制御手段は、該第１のポスターユニットの該第１の顧客センサと該第２の顧客センサとで、利用者の該第１のポスターユニットから該表示／操作ユニットへの移動を検出し、該第２のポスターユニットの該第１の顧客センサと該第２の顧客センサとで、利用者の該第２のポスターユニット側から該表示／操作ユニットへの移動を検出し、該第１，第２の顧客センサによる該検出結果に応じて、該第１，第２のポスターユニットのポスター貼付面に貼り付けられたポスターの詳細情報を表示させるディスプレイを、該第１，第２のディスプレイのいずれかに決めることを特徴とする情報表示操作端末。
【請求項４】
請求項３において、
前記制御手段は、前記表示／操作ユニットから所定の距離を超えて離れた利用者を該第２の顧客センサが検出したとき、前記第１または第２のポスターユニットの前記ポスター貼付面に貼り付けられた前記ポスターの詳細情報を前記第２のディスプレイに表示させ、利用者が前記表示／操作ユニットに該所定の距離以内に近接したことを該第２の顧客センサが検出したとき、前記第１または第２のポスターユニットの前記ポスター貼付面に貼り付けられた前記ポスターの詳細情報を前記第１のディスプレイに表示させることを特徴とする情報表示操作端末。
【請求項５】
請求項４において、
前記制御手段は、前記第２の顧客センサが、利用者が前記表示／操作ユニットに前記所定の距離以内に近接したことを検出した後、前記表示／操作ユニットから前記所定の距離を超えて離れた他の利用者を検出したとき、前記第１，第２のポスターユニットの前記ポスター貼付面に貼り付けられた前記ポスターの詳細情報を前記第１のディスプレイに交互に繰り返し表示させることを特徴とする情報表示操作端末。
【請求項６】
請求項３において、
前記制御手段は、利用者が前記表示／操作ユニットに所定の距離以内に近接したことを該第２の顧客センサが検出したとき、前記第１（または第２）のポスターユニットの前記ポスター貼付面に貼り付けられた前記ポスターの詳細情報を前記第１，第２のディスプレイに表示させ、さらに、前記表示／操作ユニットから所定の距離を超えて離れた他の利用者を該第２の顧客センサが検出したとき、前記第２（または第１）のポスターユニットの前記ポスター貼付面に貼り付けられた前記ポスターの詳細情報を前記第１のディスプレイに表示させることを特徴とする情報表示操作端末。
【請求項７】
請求項３において、
前記制御手段は、利用者が前記表示／操作ユニットに所定の距離以内に近接したことを該第２の顧客センサが検出したとき、前記第１（または第２）のポスターユニットの前記ポスター貼付面に貼り付けられた前記ポスターの詳細情報を前記第１のディスプレイに表示させ、さらに、前記表示／操作ユニットから所定の距離を超えて離れた他の利用者を該第２の顧客センサが検出したとき、前記第２（または第１）のポスターユニットの前記ポスター貼付面に貼り付けられた前記ポスターの詳細情報を前記第１のディスプレイに表示させることを特徴とする情報表示操作端末。
【請求項８】
請求項３において、
前記制御手段は、前記表示／操作ユニットから所定の距離を超えて離れた利用者を前記第２の顧客センサが検出したとき、前記第１，第２のポスターユニットの前記ポスター貼付面に貼り付けられた前記ポスターの詳細情報を前記第１のディスプレイに交互に繰り返し表示させ、利用者が前記表示／操作ユニットに所定の距離以内に近接したことを前記第２の顧客センサが検出したとき、前記第１，第２のポスターユニットの前記ポスター貼付面に貼り付けられた前記ポスターの詳細情報を前記第２のディスプレイに交互に繰り返し表示させるとともに、前記第１または第２のポスターユニットの前記ポスター貼付面に貼り付けられた前記ポスターの詳細情報を前記第１のディスプレイで表示させることを特徴とする情報表示操作端末。
【請求項９】
請求項３において、
前記制御手段は、前記第１のポスターユニットの前記ポスター貼付面に貼り付けられた前記ポスターの詳細情報と前記第２のポスターユニットの前記ポスター貼付面に貼り付けられた前記ポスターの詳細情報とを、前記第１，第２のディスプレイに交互に繰り返し表示させることを特徴とする情報表示操作端末。
【請求項１０】
請求項１〜９のいずれか１つにおいて、
前記第２のディスプレイは、タッチ操作機能を有することを特徴とする情報表示操作端末。
【請求項１１】
請求項１〜１０のいずれか１つにおいて、
前記第１，第２のポスターユニットの前記ポスター貼付面に、このポスター貼付面に貼り付けられるポスターを識別するための識別手段を設け、
前記制御手段は、該識別手段の識別結果に応じて、前記第１，第２のポスターユニットの前記ポスター貼付面に貼り付けられたポスターの前記詳細情報をサーバから取り込み、前記第１，第２のディスプレイに表示可能にすることを特徴とする情報表示操作端末。
【請求項１２】
請求項１１において、
前記第１，第２のポスターユニットの前記ポスター貼付面には、前記識別手段が複数設けられ、これらポスター貼付面に夫々複数のポスターを、夫々識別可能に、貼り付け可能としたことを特徴とする情報表示操作端末。
【請求項１３】
請求項１〜１２のいずれか１つにおいて、
前記表示／操作ユニットに、ＲＦＩＤタグや非接触ＩＣカードを読み取るリーダを設け、
前記制御手段は、該リーダによるＲＦＩＤタグや非接触ＩＣカードの読み取りに応じて、前記第１または第２のディスプレイに表示させる前記詳細情報を携帯端末に提供させることを特徴とする情報表示操作端末。
【請求項１４】
制御部と、ポスターを貼り付けるポスター貼付面を備えたポスターユニットと、該ポスター貼付面に貼り付けられたポスターの広告内容に関する詳細情報を表示する表示／操作ユニットと、該ポスター貼付面に貼り付けられる該ポスターを識別する識別手段とを備えた情報表示操作端末であって、
該制御部は、該識別手段の識別結果に応じて、該ポスター貼付面に貼り付けられたポスターの該詳細情報を通信回線を介して接続されたサーバから取り込み、該表示／操作ユニットのディスプレイに表示することを特徴とする情報表示操作端末。
【請求項１５】
請求項１４において、
複数のポスターユニットを備え、
該複数のポスターユニットは夫々、前記識別手段を有することを特徴とする情報表示操作端末。
【発明の詳細な説明】
【技術分野】
【０００１】
本発明は、広告ポスターなどの紙媒体からその関連情報を利用者に提供する情報表示操作端末に関する。
【背景技術】
【０００２】
公共空間などの壁面に設置される広告ポスターとしては、紙媒体が使用され、大きなサイズのものとすることにより、通りがかりの人に目に付き易く、瞬間的にその内容を認知して貰えるようにしている。しかし、紙媒体では、時間を経ても、人に提供する情報の内容が変わらず、また、詳細情報を多く伝えることもできないというデメリットもある。これに対し、近年では、ＰＤＰなどの大画面ディスプレイを公共空間に設置し、これでもって動画情報などによる広告情報を流すといった方法がとられるようになってきている。
【０００３】
ところで、ポスターを掲示するとともに、このポスターで表現できなかった詳細情報を画面表示し、また、かかる詳細情報と商品のＷｅｂサイトやオンライン購入／予約サイトのＵＲＬ情報とからなる通過情報を利用者に提供できるようにした技術が提案されている（例えば、特許文献１参照）。
【０００４】
かかる特許文献１に記載の技術は、広告主からの依頼により、広告会社が印刷会社にポスターの作成を依頼するとともに、広告主の広告依頼担当者が作成したポスターの追加情報や内容紹介情報，ポスターを掲示場所近くに設置されている広告端末３０を指定する情報，この広告端末３０に内容紹介情報を転送する日時を表わす情報，ポスターの掲示期間の情報などを広告管理サーバに記憶し、ポスターの掲示を行なう時期になると、指定する広告端末３０にこのポスターの追加情報や内容紹介情報を転送し、この広告端末３０では、この内容紹介情報を表示するものであり、利用者がこの内容紹介情報から希望する詳細情報を選択すると、この選択された詳細情報がこの広告端末３０で画面表示される。
【０００５】
また、この特許文献１に記載の技術では、この広告端末３０に記憶媒体を装着すると、詳細情報やＵＲＬなどの追加情報がこの記憶媒体に記憶され、利用者はこの記憶媒体を自身のパソコンや携帯電話などの端末に装着することにより、詳細情報をこの端末で閲覧することができるし、また、ＵＲＬを用いることにより、広告主が運営するＷｅｂサイトやオンライン購入／予約サイトにアクセスし、広告主からの所定のサービスを受けることができるようにしている。
【特許文献１】特開２００３ー６５１４号公報
【発明の開示】
【発明が解決しようとする課題】
【０００６】
ところで、上記特許文献１に記載の技術では、ポスターの掲示とともに、その詳細情報を広告端末３０で表示し、利用者にポスターの詳細情報をも提供可能としているが、かかるポスターに興味を持つ複数の利用者がその詳細情報を見たいとしても、１人ずつしかその詳細情報を見ることができず、詳細情報の提供を効率良く行なうことができない。
【０００７】
ＰＤＰなどの大型表示画面で広告を表示した場合には、多数の人が同時に表示される広告を見ることができるが、このような広告は近づいて見るものではないし、利用者の要求によって詳細情報を提供するものでもない。
【０００８】
また、上記特許文献１に記載の技術では、複数のポスターが提示される場合の夫々の詳細情報の提供については配慮されていないし、また、広告管理サーバがポスターの貼付日時を管理し、ポスターの実際の掲示とは別に、この管理する日時に達すると、掲示するポスターの詳細情報を広告端末に転送するようにしているため、ポスターの貼り付けによる掲示開始とその詳細情報の広告端末３０への転送タイミングとの間にずれが生ずる可能性もある。
【０００９】
本発明の目的は、かかる問題を解消し、複数の利用者に同時にポスターの詳細情報を提供可能として詳細情報の利用効率を高め、掲示されたポスターに対する詳細情報を確実に提供することができるようにした情報表示操作端末を提供することにある。
【課題を解決するための手段】
【００１０】
上記目的を達成するためには、本発明は、ポスターを貼り付けるポスター貼付面を備えたポスターユニットとポスター貼付面に貼り付けられたポスターの広告内容に関する詳細情報を表示する表示／操作ユニットとからなる情報表示操作端末であって、ポスターユニットはポスター貼付面に利用者の接近を検出する第１の顧客センサを備え、表示／操作ユニットは、第１のディスプレイと、第１のディスプレイの上側に配置された第２のディプレイと、第１の顧客センサによるポスター貼付面への利用者の接近の検出に伴ってポスター貼付面に貼り付けられたポスターの詳細情報を第１，第２のディスプレイの少なくともいずれかに表示させる制御手段とを備えたものである。
【００１１】
また、本発明は、表示／操作ユニットは、この表示／操作ユニットへの利用者の接近を検出する第２の顧客センサを備え、上記の制御手段は、表示／操作ユニットから所定の距離を超えて離れた利用者を第２の顧客センサが検出したとき、ポスター貼付面に貼り付けられたポスターの詳細情報を第２のディスプレイに表示させ、利用者が表示／操作ユニットに該所定の距離以内に近接したことを第２の顧客センサが検出したとき、ポスター貼付面に貼り付けられたポスターの詳細情報を第１のディスプレイに表示させるものである。
【００１２】
また、本発明は、ポスターを貼り付けるポスター貼付面を備えた第１，第２のポスターユニットと、ポスター貼付面に貼り付けられたポスターの広告内容に関する詳細情報を表示する表示／操作ユニットとからなる情報表示操作端末であって、表示／操作ユニットは、第１，第２のポスターユニットの間に配置され、第１，第２のポスターユニットは夫々、ポスター貼付面に利用者の接近を検出する第１の顧客センサを備え、表示／操作ユニットは、第１のディスプレイと、第１のディスプレイの上側に配置された第２のディプレイと、第２の顧客センサと、第１の顧客センサによる第１，第２のポスターユニットでのポスター貼付面への利用者の接近の検出に伴って、ポスター貼付面に貼り付けられたポスターの詳細情報を第１，第２のディスプレイの少なくともいずれかに表示させる制御手段とを備え、制御手段は、第１のポスターユニットの第１の顧客センサと第２の顧客センサとで、利用者の第１のポスターユニットから表示／操作ユニットへの移動を検出し、第２のポスターユニットの第１の顧客センサと第２の顧客センサとで、利用者の第２のポスターユニット側から表示／操作ユニットへの移動を検出し、第１，第２の顧客センサによる検出結果に応じて、第１，第２のポスターユニットのポスター貼付面に貼り付けられたポスターの詳細情報を表示させるディスプレイを、第１，第２のディスプレイのいずれかに決めるものである。
【００１３】
また、本発明は、上記の制御手段は、表示／操作ユニットから所定の距離を超えて離れた利用者を第２の顧客センサが検出したとき、第１または第２のポスターユニットのポスター貼付面に貼り付けられたポスターの詳細情報を第２のディスプレイに表示させ、利用者が表示／操作ユニットに所定の距離以内に近接したことを第２の顧客センサが検出したとき、第１または第２のポスターユニットのポスター貼付面に貼り付けられたポスターの詳細情報を第１のディスプレイに表示させるものである。
【００１４】
また、本発明は、上記の制御手段は、第２の顧客センサが、利用者が表示／操作ユニットに所定の距離以内に近接したことを検出した後、表示／操作ユニットから所定の距離を超えて離れた他の利用者を検出したとき、第１，第２のポスターユニットのポスター貼付面に貼り付けられたポスターの詳細情報を第１のディスプレイに交互に繰り返し表示させるものである。
【００１５】
また、本発明は、上記の制御手段は、利用者が表示／操作ユニットに所定の距離以内に近接したことを第２の顧客センサが検出したとき、第１（または第２）のポスターユニットのポスター貼付面に貼り付けられたポスターの詳細情報を第１，第２のディスプレイに表示させ、さらに、表示／操作ユニットから所定の距離を超えて離れた他の利用者を第２の顧客センサが検出したとき、第２（または第１）のポスターユニットのポスター貼付面に貼り付けられたポスターの詳細情報を第１のディスプレイに表示させるものである。
【００１６】
また、本発明は、上記の制御手段は、利用者が表示／操作ユニットに所定の距離以内に近接したことを第２の顧客センサが検出したとき、第１（または第２）のポスターユニットのポスター貼付面に貼り付けられたポスターの詳細情報を第１のディスプレイに表示させ、さらに、表示／操作ユニットから所定の距離を超えて離れた他の利用者を第２の顧客センサが検出したとき、第２（または第１）のポスターユニットのポスター貼付面に貼り付けられたポスターの詳細情報を第１のディスプレイに表示させるものである。
【００１７】
また、本発明は、上記の制御手段は、表示／操作ユニットから所定の距離を超えて離れた利用者を第２の顧客センサが検出したとき、第１，第２のポスターユニットのポスター貼付面に貼り付けられたポスターの詳細情報を第１のディスプレイに交互に繰り返し表示させ、利用者が表示／操作ユニットに所定の距離以内に近接したことを第２の顧客センサが検出したとき、第１，第２のポスターユニットのポスター貼付面に貼り付けられたポスターの詳細情報を第２のディスプレイに交互に繰り返し表示させるとともに、第１または第２のポスターユニットのポスター貼付面に貼り付けられたポスターの詳細情報を第１のディスプレイで表示させるものである。
【００１８】
また、本発明は、上記の制御手段は、第１のポスターユニットのポスター貼付面に貼り付けられたポスターの詳細情報と第２のポスターユニットのポスター貼付面に貼り付けられたポスターの詳細情報とを、第１，第２のディスプレイに交互に繰り返し表示させるものである。
【００１９】
そして、上記の第２のディスプレイは、タッチ操作機能を有するものである。
【００２０】
また、上記の第１，第２のポスターユニットのポスター貼付面に、このポスター貼付面に貼り付けられるポスターを識別するための識別手段を設け、上記の制御手段は、識別手段の識別結果に応じて、第１，第２のポスターユニットのポスター貼付面に貼り付けられたポスターの詳細情報をサーバから取り込み、第１，第２のディスプレイに表示可能とするものである。
【００２１】
また、第１，第２のポスターユニットのポスター貼付面には、識別手段が複数設けられ、これらポスター貼付面に夫々複数のポスターを、夫々識別可能に、貼り付け可能としたものである。
【００２２】
また、本発明は、上記の表示／操作ユニットに、ＲＦＩＤタグや非接触ＩＣカードを読み取るリーダを設け、上記の制御手段は、リーダによるＲＦＩＤタグや非接触ＩＣカードの読み取りに応じて、第１または第２のディスプレイに表示させる詳細情報を携帯端末に提供させるものである。
【００２３】
また、本発明は、制御部と、ポスターを貼り付けるポスター貼付面を備えたポスターユニットと、ポスター貼付面に貼り付けられたポスターの広告内容に関する詳細情報を表示する表示／操作ユニットと、ポスター貼付面に貼り付けられるポスターを識別する識別手段とを備えた情報表示操作端末であって、制御部は、識別手段の識別結果に応じて、ポスター貼付面に貼り付けられたポスターの詳細情報を通信回線を介して接続されたサーバから取り込み、表示／操作ユニットのディスプレイに表示するものである。
【００２４】
そして、複数のポスターユニットを備え、複数のポスターユニットは夫々、上記の識別手段を有するものである。
【発明の効果】
【００２５】
本発明によると、ポスターの詳細情報を上下２画面で表示するものであるから、近い利用者に対しては、下側のディスプレイで、離れている利用者に対しては、上側のディスプレイで夫々詳細情報を表示することができ、複数の利用者に対して詳細情報の提供が可能となる。
【００２６】
また、ポスターユニットのポスター貼付面に設けられたポスターの識別手段により、このポスター貼付面にポスターが貼り付けられたことが検出でき、この検出に基づいてサーバから貼り付けられたポスターの詳細情報を取り込むことが可能となり、ポスター貼付面に貼り付けられたポスターの詳細情報を確実に利用者に提供することができる。
【発明を実施するための最良の形態】
【００２７】
以下、本発明の実施形態を図面により説明する。
【００２８】
図１は本発明による紙媒体と連動した情報表示操作端末の第１の実施形態の全体構成を示す斜視図であって、１００はこの実施形態の情報表示操作端末、１は表示／操作ユニット、２Ａ，２Ｂはポスターユニット、３ａ，３ｂはディスプレイ、４はポスター貼付面、５はＩＣタグリーダ、６ａ，６ｂはライトユニット、７ａ，７ｂは指向性スピーカ、８，９は顧客センサ、１０はＲＦＩＤタグ／非接触ＩＣリーダ、１１，１２Ａ，１２Ｂはスタンドユニットである。
【００２９】
図２（ａ）は図１に示す情報表示操作端末の正面図、図２（ｂ）は同じく上面図、図２（ｃ）は同じく側面図であり、図１に対応する部分には同一符号を付けている。
【００３０】
また、図３は図１における表示／操作ユニット１の一具体例を示す分解斜視図であり、図４は図１における表示／操作ユニット１のスタンドユニット９の一具体例を示す分解斜視図、図５は図１におけるポスターユニット２Ｂの一具体例を示す分解斜視図である。
【００３１】
図１及び図２において、この第１の実施形態の情報表示操作端末１００は、表示／操作ユニット１とその両側に配置された２つのポスターユニット２Ａ，２Ｂとから構成され、表示／操作ユニット１はスタンドユニット１１に、ポスターユニット２Ａ，２Ｂはスタンドユニット１２Ａ，１２Ｂに夫々取り付けられて通路面（図示せず）などに設置されている。
【００３２】
表示／操作ユニット１には、その上部側に上下方向に配列して２つのディスプレイ３ａ，３ｂが設けられており、また、後述するように、スピーカや利用者操作用のＲＦＩＤタグ／非接触ＩＣリーダ１０，顧客センサ９などが内蔵されている。
【００３３】
表示／操作ユニット１は、図３に示すように、バックケース２１内に各部品が収納され、フロントケース２０がこのバックケース２１に取り付けられた構造をなすものである。フロントケース２０には、上下方向に並んで形成された窓２０ａ〜２０ｃが設けられ、例えば、窓２０ｂ，２０ｃ間に格子状に配列された多数の貫通穴からなるスピーカ部２０ｄが設けられている。
【００３４】
これらフロントケース２０とバックケース２１とからなるケース内では、上側の窓２０ａに表示面が対向するように、ディスプレイ３ａが、中央の窓２０ｂに表示面が対向するように、ディスプレイ３ｂが夫々取り付けられ、下側の窓２０ｃに対向して顧客センサ９が取り付けられる。また、通気パネル２０ｄに対向して、スピーカ２４やファン２５などが取り付けられている。さらに、利用者操作用のＲＦＩＤタグ／非接触ＩＣリーダ１０やディスプレイ電源２６，ＨＤＤ（ハードディスクドライブ）などの記憶媒体２７，ＰＣ（パーソナルコンピュータ）電源２８，電源コンセント２９，ファンコントローラ３０，制御ボード３１，ディスプレイ操作受光部基板３２，ディスプレイ操作基板３３などの各部品がケース内の適宜の位置に設けられている。
【００３５】
以上のように、各部品が組み込まれてバックケース２１にフロントケース２０が取り付けられて構成されたケースには、そのフロントケース２０の窓２０ｃに操作部カバー２３が取り付けられてこの窓２０ｃが塞がれ、さらに、このフロントケース２０の窓２０ａ〜２０ｃ及びスピーカ２０ｄの部分にフロントケースカバー２２が取り付けられて、これら窓２０ａ〜２０ｃ及びスピーカ２０ｄの部分の部分が透明な保護板によって覆われる。このように、表示／操作ユニット１が組み立てられることになる。
【００３６】
表示／操作ユニット１のスタンドユニット１１（図１）は、図４に示すように、高さ調整機能付きスタンド１１ａと移動用キャスタ付きスタンド１１ｂとスタンドカバー１１ｃと壁掛けフレーム１１ｄとからなり、表示／操作ユニット１のバックケース２１がこの高さ調整機能付きスタンド１１ａにねじ止めされることにより、表示／操作ユニット１がスタンドユニット１１に取り付けられる。この高さ調整機能付きスタンド１１ａは移動用キャスタ付きスタンド１１ｂにねじ止めで固定され、これにより、表示／操作ユニット１を路面上などで容易に移動させることができるし、表示／操作ユニット１の設置位置を容易に調整することができる。また、高さ調整機能付きスタンド１１ａの長さを調整することにより、表示／操作ユニット１の高さを調整することができる。さらに、表示／操作ユニット１のバックケース２１に、高さ調整機能付きスタンド１１ａの代わりに、壁掛けフレーム１１ｄをねじ止め固定することにより、表示／操作ユニット１を壁に掛けて配置することができる。
【００３７】
図１及び図２において、ポスターユニット２Ａは、図示しないポスターを貼り付けるためのポスター貼付面４からなるものであって、このポスター貼付面４の左右両側の辺に夫々ライトユニット６ａ，６ｂが、上下両辺に夫々指向性スピーカ７ａ，７ｂが設けられており、ポスター貼付面４の、例えば、下辺側に接客センサ８が設けられている。さらに、ポスター貼付面４の所定の位置にＩＣタグリーダ５が設けられている。これらライトユニット６ａ，６ｂは、周囲が暗いと点灯し、ポスター貼付面４に貼り付けられているポスターを照明する。
【００３８】
ＩＣタグリーダ５は、ポスター貼付面４に貼り付けられる図示しないポスターに取り付けられているＩＣタグと通信するためのものである。即ち、このポスター貼付面５に貼り付けられるポスターには夫々、そのポスターを一意的に特定するＩＤ情報を記憶したＩＣタグが取り付けられており、かかるポスターがポスター貼付面４に貼り付けられると、このポスターのＩＣタグに記憶されているＩＤ情報がＩＣタグリーダ５によって読み取られる。
【００３９】
ポスターユニット２Ｂも、このポスターユニット２Ａと同じ構成をなしている。
【００４０】
ポスターユニット２Ｂを例にその構成を示すと、ポスターユニット２Ｂは、図５（ａ）に示すように、周囲に枠体２ｂが設けられたポスター貼付パネル２ａと、このポスター貼付パネル２ａにポスター（図示せず）を貼り付け固定するためのポスター固定スライダ２ｃとポスターユニットフレーム２ｅとからなる。ポスターはポスター貼付パネル２ａの枠体２ｂにポスター固定スライダ２ｄによって固定される。このようにポスターがポスター貼付パネル２ａに貼り付けられると、このポスターに設けられているＩＣタグがポスター貼付パネル２ａに設けられているＩＣタグリーダ５と通信可能となり、ＩＣタグリーダ５はこのＩＣタグからこのポスターに対するＩＣタグ情報を読み取る。
【００４１】
また、このポスター貼付パネル２ａの上辺に指向性スピーカ７ａが、下辺に指向性スピーカ７ｂと顧客センサ８とが夫々取り付けられる。そして、かかるポスター貼付パネル２ａがポスターユニットフレーム２ｅに嵌め込まれて取り付けられるが、ポスター貼付パネル２ａの枠体２ｂの４隅に設けられたパネル奥行き調整アジャスタ２ｃにより、ポスターユニットフレーム２ｅに対するポスター貼付パネル２ａの奥行きを調整することができる。このようにして組み立てられたポスターユニット２Ｂでのポスターユニットフレーム２ｅから露出されたポスター貼付パネル２ａの面が、図１におけるポスターユニット２Ａのポスター貼付面４に相当する。
【００４２】
さらに、かかるポスター貼付ユニット２Ｂは、図５（ｂ）に示すポスターユニットスタンド１２Ｂに取り付けることができるが、また、ポスターユニットフレーム２ｅの片側に、即ち、図１に示すように、表示／操作ユニット１と並べて配置されるとき、この表示／操作ユニット１側に固定金具２ｆが設けられており、この固定金具２ｆによって表示／操作ユニット１に固定することもできる。
【００４３】
以上の構成は、他方のポスターユニット２Ａについても、同様である。
【００４４】
図１において、表示／操作ユニット１とポスターユニット２Ａ，２Ｂとが図示するように設置された状態で、いま、ポスターユニット２Ａに図示しないポスターが貼り付けられたとすると、このポスターのＩＣタグのＩＤ情報がＩＣタグリーダ５で読み取られ、表示／操作ユニット１に供給される。表示／操作ユニット１は、このＩＤ情報を取り込んで保持し、これまで保持していた他のポスターからのＩＤ情報との違いを検出することにより、ポスターユニット２Ａでポスターの貼り替えが行なわれたか否かを判定することがてきる。
【００４５】
なお、ＩＣタグリーダ５の検出情報の表示／操作ユニット１への取り込みは、所定時間毎に行なうようにしてもよいし、また、例えば、夜間などポスターの貼り替えが行なわれる時間帯が決められているものであれば、１日に１回人が出回る前の特定の時刻に行なうようにしてもよい。このように、表示／操作ユニット１は、ＩＣタグリーダ５の検出情報、即ち、ＩＤ情報の取り込みを行なうが、この取り込んだＩＤ情報を記憶し、また、取り込む毎に取り込んだＩＤ情報に更新する。そして、ＩＤ情報の更新を行なうとき、取り込んだＩＤ情報とこれまで記憶していたＩＤ情報とを比較し、これらが一致すれば、ＩＤ情報の更新だけが行なわれるが、一致しない場合には、ポスターユニット２Ａで新たなポスターに貼り替えが行なわれたものと判定する。このことは、ポスターユニット２Ｂについても同様である。
【００４６】
ポスターユニット２Ａ，２Ｂに貼り付けられるポスターに対し、このポスターで掲載される情報以外に、このポスターの掲載内容のさらに詳細な情報（以下、詳細情報という）が利用者への提供のために作成されている場合には、かかる詳細情報は図示しないネットワークサーバやインターネットのコンテンツサーバなどに提供可能に格納される。そして、ポスターユニット２Ａで新たなポスターの貼り替えが行なわれると、このポスターのＩＣタグからのＩＤ情報の読み取りにより、表示／操作ユニット１は、ポスターユニット２Ａでポスターの貼り替えが行なわれたことを検知し、新たに貼り替えられたポスターのこのＩＤ情報をネットワークサーバに送る。これにより、このネットワークサーバからはこの新たなポスターに対する詳細情報がダウンロードされ、表示／操作ユニット１に保存される。
【００４７】
このようにして、ポスターユニット２Ａ，２Ｂに現在貼り付けられているポスターに対する詳細情報が夫々、表示／操作ユニット１に保存されている。この状態で、ポスタユニット２Ａ，２Ｂでポスターの貼り替えが行なわれると、上記のようにして、新たに貼り付けられたポスターに対する詳細情報がネットワークサーバから取り込み、これまでポスターユニット２Ａ，２Ｂに貼り付けられていた古いポスターに対する詳細情報に代わって、ネットワークサーバから取り込んだ新たなポスターに対する詳細情報が保存されることになる。
【００４８】
いま、ポスターユニット２Ａのポスタ貼付面４に貼り付けられているポスター（図示せず）に利用者が興味を持ち、この利用者がボスターユニット２Ａに所定の距離まで近づくと、指向性スピーカ７ａ，７ｂによって広告内容の説明などの音声を流するとともに、その顧客センサ８がこの顧客を検出し、表示／操作ユニット１に通知する。これにより、表示／操作ユニット１は、利用者がポスターユニット２Ａのポスター貼付面４に貼り付けられているポスターを見ているものと認識する。
【００４９】
なお、このポスターに詳細情報があるときには、このポスターの所定の場所に、目立つように、詳細情報を表示／操作ユニット１のディスプレイ３ａ，３ｂで表示する旨の案内メッセージが記載されている。あるいは指向性スピーカ７ａ，７ｂからの音声で案内するようにしてもよい。
【００５０】
そこで、利用者が、この案内メッセージに従って、表示／操作ユニット１側に移動すると、表示／操作ユニット１は自身の顧客センサ９でこの顧客を検知する。このとき、ポスターユニット２Ａの顧客センサ８はこの利用者を検知しなくなる。このように、ポスターユニット２Ａの顧客センサ８が利用者を検知しなくなり、代わって、表示／操作ユニット１の顧客センサ９が利用者を検知すると、表示／操作ユニット１はこの利用者がポスターユニット２Ａ側から表示／操作ユニット１側に移動したものと判定し、ディスプレイ３ａ，３ｂのいずれか一方にポスターユニット２Ａのポスター貼付面４に貼り付けられているポスターに対する詳細情報を表示する。これにより、このポスター貼付面４に貼り付けられているポスターに対する詳細情報を利用者に提供することができる。
【００５１】
このことは、利用者がポスターユニット２Ｂ側から表示／操作ユニット１側に移動した場合も同様である。
【００５２】
また、ディスプレイ３ａ，３ｂのいずれか一方で詳細情報が表示されている状態で、利用者が所持するＲＦＩＤタグあるいは非接触ＩＣカード（図示せず。但し、以下では、ＲＦＩＤタグを例に説明するが、ＩＣカードであっても、同様である）を表示／操作ユニット１にかざすと、表示／操作ユニット１のＲＦＩＤタグ／非接触ＩＣリーダ１０がこのＲＦＩＤタグからそこに蓄積されている情報（ＲＦＩＤタグ情報）を読み取る。このＲＦＩＤタグ情報は、このＲＦＩＤタグを所有する利用者の個人情報（この利用者の氏名，住所，性別，年齢，職業など）や携帯電話番号などの情報からなるものであって、表示／操作ユニット１はこの読み取ったＲＦＩＤタグ情報を図６で後述するネットワークサーバに送る。このネットワークサーバは、ディスプレイ３ａ，３ｂのいずれか一方で表示しているポスター貼付面４に貼り付けられているポスターに対する詳細情報を、このＲＦＩＤタグ情報での携帯電話番号のｅ−ｍａｉｌアドレスなどに送信する。
【００５３】
このようにして、利用者が興味を持つポスターの詳細情報を、このポスターの掲示位置に応じたディスプレイ３ａ，３ｂのいずれかで提供するとともに、この利用者の携帯電話にも提供し、利用者が後にパソコンなどでこの詳細情報を見ることができるようにする。また、さらに、詳細情報がインターネットのコンテンツサーバにもある場合には（かかる詳細情報は、表示／操作ユニットのディスプレイ３ａ，３ｂに表示されない）、表示／操作ユニット１は、ＲＦＩＤタグ情報の取り込みに応答して、このコンテンツサーバをアクセスするためのＵＲＬも携帯電話に提供することができ、後にこの携帯電話やパソコンなどにより、このコンテンツサーバにアクセスして詳細情報を取得することができるし、また、商品の購入のための情報、催し物の入場券などの購入のための情報を提供するようにすることもできる。
【００５４】
なお、かかるＲＦＩＤタグは、希望者に配布したり、貸し付けたりするものであり、この場合、上記のような個人情報や携帯電話番号などが登録される。例えば、特定の商品や諸々の催し物の情報を希望する人には、かかるＲＦＩＤタグを配布することにより、町中のポスターから必要な情報が得られるようにすることができる。また、大規模な展示場などの場合、展示場の各所に図１に示すような情報表示操作端末を配置し、これとともに、入場者には、ＲＦＩＤタグを配布するようにする。入場者は、情報表示操作端末で掲示されるポスターから、例えば、ポスターで案内される商品などの詳細情報の提供を受けることができるし、また、このＲＦＩＤタグをかざすことにより、この詳細情報などを自分の携帯電話に取り込むことができ、後にその詳細情報を見て、インターネットなどにより、希望する商品などの購入の手続きをすることができる。
【００５５】
図６は図１における情報表示操作端末を用いてポスターに関する情報の提供を行なうシステムの一具体例を示す構成図であって、前出図面に対応する部分には同一符号を付けている。
【００５６】
同図において、情報表示操作端末１内では、表示操作部４０と制御部４１と内部記憶部４８と電源部４９とが設けられている。
【００５７】
表示操作部４０は、ディスプレイ３ａ，３ｂと、顧客センサ９と、ＲＦＩＤタグ／非接触ＩＣリーダ１０と、スピーカユニット２４とからなり、ディスプレイ３ａがポスタユニット２Ａに貼り付けられたポスター５０の詳細情報を、ディスプレイ３ｂがポスタユニット２Ｂに貼り付けられたポスター５０の詳細情報を夫々表示する。
【００５８】
制御部４１は、表示制御部４２と操作制御部４３と媒体制御部４４とセキュリティコントローラ４５とＣＰＵ４６とネットワークコントローラ４７とからなり、表示制御部４２は、ウィンドウコントローラ４２ａなどを備えてディスプレイ３ａ，３ｂの画面表示やスピーカユニット２３の音声出力を制御する。操作制御部４３は、ポスターユニット２Ａ，２Ｂの顧客センサ８や表示操作部４０での顧客センサ９の検出出力により、ポスターユニット２Ａ，２Ｂに近づいた利用者の検出やポスターユニット２Ａ，２Ｂから表示／操作ユニット１への利用者の移動を検出し、この検出結果を、媒体制御部４４，セキュリティコントローラ４５を介して、ＣＰＵ４６に供給するとともに、ＣＰＵ４６からの指令や情報に基づいて表示制御部４２を制御する操作コントローラ４３ａなどからなる。
【００５９】
媒体制御部４４は、操作コントローラ４４ａなどからなり、ポスターユニット２Ａ，２ＢのＩＣタグリーダ５からポスター５０のＩＣタグ５０ａから読み取ったＩＤ情報が供給され、これをＣＰＵ４６に供給するとともに、ＣＰＵ４６からの指令や情報に基づいてポスターユニット２Ａ，２Ｂのライトユニット６ａ，６ｂを制御し、また、ポスターユニット２Ａ，２Ｂの顧客センサ８が利用者の接近を検知したことに基づくＣＰＵ４６の制御に基づいて、内部記憶部４８のコンテンツＤＢ４８ｂに格納されている案内音声情報を取り込み、これをポスターユニット２Ａ，２Ｂのスピーカユニット７ａ，７ｂに供給して、音声により、ポスター５０に関する案内を流すようにする。
【００６０】
セキュリティコントローラ４５は、利用者の認証を行なうためのものであって、ＲＦＩＤタグ／非接触ＩＣリーダ１０で読み取ったＲＦＩＤタグ情報の個人情報と内部記憶部４８の認証ＤＢ４８ａに格納されている認証情報と照合することにより、認証を行なうものである。
【００６１】
なお、ＣＰＵ４６は、図示しない電源スイッチがオンされて電源部４９から電源が投入されると、内部記憶部４８からＯＳ４８ｄとＡＰ４８ｃとを取り込み、各部の制御のための動作を行なう。
【００６２】
また、ＣＰＵ４６は、ネットワークコントローラ４７により、外部ネットワークを介してネットワークサーバ６０と通信可能である。このネットワークサーバ６０には、個人情報ＤＢ６１や端末情報ＤＢ６２，ポスター情報ＤＢ６３，コンテンツＤＢ６４，認証ＤＢ６７，データ通信部６７，システム制御部６６などを備えており、ネットワークコントローラ６８により、これらＤＢ６１〜６５での情報を情報表示操作端末１でのＣＰＵ４６に送信できるし、また、データ送信部６７により、携帯端末７０にも送信できるようにしている。
【００６３】
なお、コンテンツＤＢ４８ｂ，６４に格納されるコンテンツは、例えば、ポスターユニット２Ａ，２Ｂに貼り付けられるポスター５０の詳細情報やこのポスター５０で広告される商品などに関する情報などをインターネットサーバに要求するためのＵＲＬや一時的にデータ保存したコンテンツ情報である。コンテンツ自体をデータ保存しておくと、読込み時間が短くなる。また、個人情報ＤＢ６１での個人情報は、顧客に関する情報であって、情報表示操作端末１での内部記憶部４８では、認証情報として、認証ＤＢ４８ａに記憶される。
【００６４】
また、ネットワークサーバ６０において、端末情報ＤＢ６２には、各情報表示操作端末１００の固有のＩＤ情報が格納され、ポスター情報ＤＢ６３には、各ポスター５０のＩＣタグ５０ａに格納されているＩＤ情報が格納されている。データ通信部６７は携帯端末７０との通信を行なうためのものであり、システム制御部６６はネットワークサーバ６０の各部を制御するものである。
【００６５】
いま、ポスターユニット２Ａで、上記のように、ポスターの貼り替えが行なわれ、新たなポスター５０が貼り付けられたものとすると、この新たなポスター５０に設けられているＩＣタグ５０ａのＩＤ情報がＩＣタグリーダ５で読み取られ、媒体制御部４４からＣＰＵ４６に送られる。ＣＰＵ４６は、このＩＤ情報をポスターユニット２Ａ側のポスター５０に対するＩＤ情報として保持するとともに、このＩＤ情報にこの情報表示操作端末１００に割り当てられた固有のＩＤ（即ち、端末ＩＤ）を、端末情報として、付加し、ネットワークコントローラ４７から外部ネットワークを介してネットワークサーバ６０に送る。
【００６６】
ネットワークサーバ６０では、かかるポスター５０のＩＤ情報と端末情報とがネットワークコントローラ６８によって受信され、システム制御部６６の制御のもとに、端末情報が端末情報ＤＢ６２の端末情報と照合され、この情報表示操作端末１００がネットワークサーバ６０と通信可能な端末であることが認識される。そこで、ＩＤ情報がポスター情報ＤＢ６３の情報と照合されて新たなポスター５０がポスターユニット２Ａ，２Ｂに貼り付け可能なポスターと判定され、この判定結果に基づいてこのＩＤ情報に対する詳細情報がコンテンツＤＢ６４から検索される。この検索された詳細情報は、受信して照合された端末情報（端末ＩＤ）をもとに、受信したＩＤ情報とともに、ネットワークコントローラ６８から外部ネットワークを介してこの表示／操作ユニット１に送信される。
【００６７】
この表示／操作ユニット１では、ネットワークコントローラ４７でこの詳細情報とＩＤ情報とが受信され、ＣＰＵ４６により、内部記憶部のコンテンツＤＢに格納される。このようにして、ポスターユニット２Ａ，２Ｂに貼付られたポスター５０のＩＤ情報と詳細情報とがコンテンツＤＢ４８ｂに格納される。
【００６８】
ここで、コンテンツＤＢ４８ｂでは、ポスターユニット２Ａ側のポスター５０に対するＩＤ情報と、ポスターユニット２Ｂ側のポスター５０に対するＩＤ情報とが区別して格納されており、ポスターユニット２Ａにポスター５０が貼付られた状態で利用者がこのポスターユニット２Ａ側から表示／操作ユニット１側に移動したことが、ポスターユニット２Ａの顧客センサ８と表示／操作ユニット１のポスターユニット２Ａ側の顧客センサ９とで検出された場合には、ＣＰＵ４６は、これらポスターユニット２Ａの顧客センサ８と表示／操作ユニット１のポスターユニット２Ａ側の顧客センサ９との検出出力を受けて、ポスターユニット２Ａ側のポスター５０に対するＩＤ情報を認識し、このＩＤ情報をもとにコンテンツＤＢ４８ｂを検索し、ポスターユニット２Ａ側のポスター５０に対する詳細情報を取得する。この詳細情報は、上記のように、ディスプレイ３ａ，３ｂのいずれかに表示される。
【００６９】
ＣＰＵ４６は、顧客センサ８，９やＲＦＩＤタグ／非接触ＩＣリーダ１０からの情報に対し、内部記憶部４８の各ＤＢ４８ａ，４８ｂでの情報で対応しきれない場合には、ネットワークサーバ６０から必要な情報を取り込み、これを用いることができる。例えば、ポスターユニット２Ａ，２Ｂのポスター貼付面４（図１）に新たにポスター５０が貼り付けられた場合には、このポスター５０に対する詳細情報は内部記憶部４８のコンテンツＤＢ４８ａにないので、ＣＰＵ４６はネットワークサーバ６０からこの詳細情報を取り込み、コンテンツＤＢ４８ａに格納するが、この詳細情報の一部をネットワークサーバ６０のコンテンツＤＢ６４に残しておくこともでき、表示／操作ユニット１のＣＰＵ４６からの要求に応じてこれを読み出し、ディスプレイ３ａまたは３ｂに表示させるようにすることができる。
【００７０】
また、例えば、ポスターユニット２Ａに貼り付けられているポスター５０の詳細情報が表示／操作ユニット１のディスプレイ３ａで表示される状態となり、このディスプレイ３ａで表示される詳細情報を見ている利用者がＲＦＩＤタグをかざすことにより、ＲＦＩＤタグ／非接触ＩＣリーダ１０がこのＲＦＩＤタグからそのＲＦＩＤタグ情報を読み取ると、ＣＰＵ４６は、このＲＦＩＤタグ情報を、認証ＤＢ４８ａの情報で認証した後、詳細情報が要求されるポスターを識別するための情報（ポスター情報）やこの情報表示操作端末１００の端末情報などとともに、ネットワークコントローラ４７から外部ネットワークを介してネットワークサーバ６０に送る。ネットワークサーバ６０では、ネットワークコントローラ６８これら情報が受信され、システム制御部６６の制御のもとに、端末情報ＤＢ６２の端末情報やポスター情報Ｄｂ６３のポスター情報との照合がなされた後、上記ポスターに対する詳細情報やＵＲＬなどの情報をコンテンツＤＢ６４で検索し、データ送信部６７からこのＲＦＩＤタグ情報での携帯電話番号宛て、即ち、上記利用者の携帯電話７０にｅ−ｍａｉｌなどで情報を送信する。
【００７１】
図７はこの実施形態でのポスターの作成から貼り付けまでの作業とポスターの貼り付け状況の管理の流れを示す図である。
【００７２】
同図において、広告主／提供者２００が、ポスターの貼り付けのための契約（貼り付け場所，ポスターの掲示期間，広告内容など）の申込み（ステップ（イ））をすると、この契約内容によるポスターを貼り付ける情報表示操作端末１００に関する情報、即ち、端末情報がネットワークサーバ６０に登録される。ＩＣタグ管理メーカ／ポスター製造メーカ２０１がＩＣタグ５０ａを貼り付けた、あるいは埋め込んだポスター５０を作成し（ステップ（ロ））、このＩＣタグ５０ａでのＩＤ情報をネットワークサーバ６０に登録する。一方、画面表示コンテンツ作成メーカ２０２は、ポスター５０について指定された広告内容に対する詳細情報（コンテンツ）を作成し（ステップ（ハ））、この詳細情報はネットワークサーバ６０に登録される。あるいはまた、詳細情報を図示しないインターネットのコンテンツサーバに登録することができる。この場合には、このコンテンツサーバでの詳細情報のアドレスを示すＵＲＬがネットワークサーバ６０に登録される。
【００７３】
ネットワークサーバ６０では、システム制御部６６の制御のもとに、ＩＣタグ管理メーカ／ポスター製造メーカ２０１はポスター情報ＤＢ６２に格納され、画面表示コンテンツ作成メーカ２０２からの詳細情報やＵＲＬなどが、対応するポスターのＩＤ情報と対応付けて、コンテンツＤＢ６４に格納される。また、契約に伴ってポスター５０を掲示する情報表示操作端末１００に関する情報（端末情報）は、ＩＣタグ情報と関連付けられて、端末情報ＤＢ６２に格納される。
【００７４】
ポスター貼付業者は、携帯電話やパソコンなどにより、ネットワークサーバ６０に提示するポスターやその提示場所，提示期間を確認することができ、指定された掲示期間になると、ポスター貼付業者２０３が指定された場所の情報表示操作端末１００のポスター貼付面４にこのポスター５０を貼り付ける（ステップ（ニ））。このポスター５０の貼り付けにより、このポスター５０のＩＣタグ５０ａからＩＤ情報がポスター貼付面４のＩＣタグリーダ５によって読み取られ、ネットワークサーバ６０に登録される。
【００７５】
なお、端末設置販売／レンタル業者２０４は、情報表示操作端末１００を設置するとき、この設置を希望する場所の所有者（例えば、駅やデパート，映画館，銀行など各種公共空間の所有者や店舗）２０５と契約を結び、この場所に情報表示操作端末１００を設置する（ステップ（ホ））。このように新たに設置されて情報表示操作端末１００に関しては、端末設置販売／レンタル業者２０４側からネットワークサーバ６０に登録が行なわれ（ステップ（ヘ））、この情報表示操作端末１００の設置場所や端末情報が端末情報ＤＢ６２に格納される。
【００７６】
ポスターＤＢ６３には、情報表示操作端末１００のポスター貼付面４に貼り付けられている（即ち、提示されている）ボスター５０や提示期間に至っておらず、待機しているポスター５０のＩＤ情報が格納されており、貼り替えられたポスター５０のＩＤ情報は削除される。情報表示操作端末１００は、ポスター貼付面４のＩＣタグリーダ５により、上記のように、所定時間経過毎、あるいは１日に一回ＩＤ情報の読み取りを行ない、このＩＤ情報から貼り付けられているポスター５０を確認する。この確認の結果、ポスターの貼り替えが行なわれたことが検出されると、その旨をネットワークサーバ６０に通知する（ステップ（ト））。これにより、ネットワークサーバ６０では、ポスターＤＢ６３からこのポスターに対するＩＤ情報を削除し、また、コンテンツＤＢ６４から該当する詳細情報やＵＲＬを削除する。また、情報表示操作端末１００が取り除かれるなどして使用されなくなると、その旨がネットワークサーバ６０の図示しない管理者からネットワークサーバ６０に通知され、これにより、ネットワークサーバ６０では、この情報表示操作端末１００に対する端末情報が端末情報ＤＢ６２から削除される。
【００７７】
このようにして、情報表示操作端末１００の設置状況やポスター５０の提示状況に応じて端末情報ＤＢ６２やポスター情報ＤＢ６３，コンテンツＤＢ６４の内容が更新され、これらＤＢ６２〜６４の内容によってかかる状況を確認することができる。例えば、広告主／提供者２００は、携帯電話やパソコンなどによってネットワークサーバ６０に問い合わせることにより、契約したポスターの状況（掲示される情報表示操作端末１００の設置場所，代金，利用状況）などを確認することができ（ステップ（チ））、端末設置販売／レンタル業者２０４も、同様に携帯電話やパソコンなどによってネットワークサーバ６０に問い合わせることにより、情報表示操作端末１００の状況（使用不能になっていないかどうかなど）を確認することができる（ステップ（リ））。
【００７８】
図８はこの実施形態を用いたシステムでのネットワークサーバからの詳細情報やＵＲＬの提供や商品の購入のための動作の流れを示す図である。
【００７９】
同図において、情報表示操作端末１００での表示／操作ユニット１の、例えば、ディスプレイ３ａで詳細情報が表示されている状態で、利用者２０６がＲＦＩＤタグをこの表示／操作ユニット１にかざすと（ステップ（ｉ））、情報表示操作端末１００はこのＲＦＩＤタグからＲＦＩＤタグ情報を読み込み、図６で説明した処理をした後、端末情報やポスター５０のＩＤ情報（ポスター情報）とともに、ネットワークサーバ６０に送る。ネットワークサーバ６０は、システム制御部６６の制御のもとに、ポスター情報ＤＢ６３や端末情報ＤＢ６２，個人情報ＤＢ６１，認証ＤＢ６５の情報をもとに、これらＲＦＩＤタグ情報，端末情報，ポスター情報を確認し、このポスター情報に該当する詳細情報やＵＲＬをコンンテンツＤＢ６４から検索し、データ送信部６７から利用者２０６の携帯電話７０に送る（ステツプ（ii））。
【００８０】
利用者２０６のＲＦＩＤタグ（そのＩＤ情報や利用者の氏名，年齢，性別，携帯電話番号（Ｅ−ＭＡＩＬアドレス）など）は、予め個人情報ＤＢ６１や認証ＤＢ６５に登録されている（ステップ（iii））。
【００８１】
利用者２０６は、携帯電話７０で受信した詳細情報を閲覧することができるし、ＵＲＬによって広告主／提供者の関連ＨＰ（ホームページ）２０７などにアクセスすることにより（ステップ（iv））、情報表示操作端末１００で提示されるポスター（図示せず）で広告される商品を購入することができる（ステップ（ｖ））。
【００８２】
図９は図１に示す情報表示操作端末１００での詳細情報の画面表示の一具体例を示す図であって、同図（ａ）は利用者が１人である場合、同図（ｂ）は利用者が複数である場合を示している。
【００８３】
まず、図９（ａ）において、その（ii）に示すように、利用者２０６ａがポスター貼付部２Ａでそこに貼り付けられているポスターＡを見る場合には、表示／操作ユニット１では、２つのディスプレイ３ａ，３ｂにこのポスターＡの詳細情報Ａ１，Ａ２が夫々表示される。上記のようにして、利用者２０６ａが表示／操作ユニット１側に移動すると、このとき、利用者２０６ａが表示／操作ユニット１の面からある程度の規定距離以上離れていれば、ディスプレイ３ａ，３ｂでの表示状態は変わらないが、詳細情報Ａをより明確に見ることができるようにするためなどで、図９（ａ），（ｉ）に示すように、利用者２０６ａがこの規定距離よりも表示／操作ユニット１に近づくと、ポスターＡの詳細情報Ａは下側のディスプレイ３ｂにのみ表示される状態となる。
【００８４】
なお、利用者２０６ａが図９（ａ），（ii）に示す状態にあるとき、図１０に示すように、ポスターＡの詳細情報Ａを表示／操作ユニット１の上側のディスプレイ３ａのみに表示し、利用者２０６ａが表示／操作ユニット１側に移動して表示／操作ユニット１に上記の規定距離よりも近づくと、この詳細情報Ａは下側のディスプレイ３ｂに表示が移るようにしてもよい。
【００８５】
かかる状態で、図９（ｂ），（ｉ）に示すように、他の利用者２０６ｂが、例えば、ポスターＢが貼り付けられたポスター貼付部２Ｂ側に立つと、図９（ｂ），（ii）に示すように、表示／操作ユニット１の上側のディスプレイ３ａにこのポスターＢの詳細情報Ｂが表示される。そして、この利用者２０６ｂがポスターユニット２Ｂ側から表示／操作ユニット１側に移動し、利用者２０６ａの後ろに立っても、上側のディスプレイ３ａにこのポスターＢの詳細情報Ｂが表示されたままとなっている。
【００８６】
これにより、最初の利用者２０６ａも、興味を持ったポスターＡの詳細情報Ａを閲覧することができるし、後から来た利用者２０６ｂも、興味を持ったポスターＢの詳細情報Ｂが上側のディスプレイ３ａに表示されるから、この詳細情報Ｂを見ることができる。
【００８７】
勿論、利用者２０６ａが去り、利用者２０６ｂが表示／操作ユニット１に近づくと、詳細情報Ｂが下側のディスプレイ３ｂに表示され、また、利用者２０６ａ，２０６ｂが場所を入れ替わると、詳細情報Ａが上側のディスプレイ３０ａに表示され、詳細情報Ｂが下側のディスプレイ３０ｂに表示されることになる。
【００８８】
なお、図９（ｂ）に示す状態では、利用者２０６ａがＲＦＩＤタグを表示／操作ユニット１にかざすことにより、この詳細情報Ａを携帯電話に取得することができ、利用者２０６ｂがＲＦＩＤタグを表示／操作ユニット１にかざすことにより、この詳細情報Ｂを携帯電話に取得することができる。
【００８９】
また、図９（ａ），（ii）で説明したように、利用者２０６ａひとりが表示／操作ユニット１に近づいてディスプレイ３ｂに詳細情報Ａが表示されている状態で、他の利用者２０６ｂがそのまま表示／操作ユニット１に近づいてくる場合もある。この利用者２０６ｂはポスターユニット２Ａまたは２Ｂ側から表示／操作ユニット１に近づいたものではなく、利用者２０６ａが見ていることに興味を持って近づいて来た場合もある。このような場合には、図１１に示すように、使用されていない上側のディスプレイ３ａにポスターＡの詳細情報ＡとポスターＢの詳細情報Ｂとを交互に表示するようにすることもできる。このようにすることにより、利用者２０６ｂはポスターＡ，Ｂに興味を持つようになり、詳細情報などを必要とするようになる可能性がある。但し、他の利用者がＲＦＩＤタグを表示／操作ユニット１にかざすと、詳細情報Ａ，Ｂがその携帯電話に提供する。
【００９０】
図１２は図１に示す情報表示操作端末１００での詳細情報の画面表示の他の具体例を示す図である。
【００９１】
この具体例では、利用者２０６ａが図９（ａ），（ｉｉ）に示す状態にあるとき、図１２（ａ）に示すように、ポスターユニット２ＡのポスターＡの詳細情報Ａとポスターユニット２ＢのポスターＢの詳細情報Ｂとが交互に繰り返し表示／操作ユニット１の下側のディスプレイ３ｂで表示され、この利用者２０６ａが表示／操作ユニット１側に移動すると、これら詳細情報Ａ，Ｂの交互の繰り返し表示が上側のディスプレイ３ａに移る。そして、図１２（ｂ）に示すように、下側のディスプレイ３ｂに、利用者２０６ａが見ていたポスターＡの詳細情報Ａのみが表示される図１１と同様の状態となる。従って、他の利用者が近づいたときにも、ポスターＡ，Ｂの詳細情報Ａ，Ｂを見ることができる。但し、他の利用者がＲＦＩＤタグを表示／操作ユニット１にかざすと、詳細情報Ａ，Ｂがその携帯電話に提供する。
【００９２】
図１３は図１に示す情報表示操作端末１００での詳細情報の画面表示の他の具体例を示す図である。
【００９３】
この具体例では、利用者が表示／操作ユニット１やポスターユニット２Ａ，２Ｂのいずれかに近づいて来たときに、図１３に示すように、表示／操作ユニット１の上側のディスプレイ３ａと下側のディスプレイ３ｂとでポスターＡ，Ｂの詳細情報Ａ，Ｂを交互に表示するものである。即ち、詳細情報Ａがディスプレイ３ａに、詳細情報Ｂがディスプレイ３ｂに夫々表示される状態と、逆に詳細情報Ｂがディスプレイ３ａに、詳細情報Ａがディスプレイ３ｂに夫々表示される状態とを交互に繰り返すものである。
【００９４】
この場合も、表示／操作ユニット１に近づいた利用者も、その後ろに居る利用者も、ポスターＡ，Ｂの詳細情報Ａ，Ｂを閲覧することができる。そして、この場合には、これら利用者のいずれも、ＲＦＩＤタグを表示／操作ユニット１にかざすと、その携帯電話にこれら詳細情報Ａ，Ｂを取得することができる。
【００９５】
図１４は本発明による情報表示操作端末の他の実施形態の構成とその設置方法の具体例を示す図である。
【００９６】
図１４（ａ）に示す具体例は、１つの表示／操作ユニット１と１つのポスターユニット２とからなるものであって、これらが図４で説明した構成のスタンド１１，図５（ｂ）に示す構成のスタンド１２に載置されたものである。
【００９７】
図１４（ｂ）に示す具体例は、同様に１つの表示／操作ユニット１と１つのポスターユニット２とからなるものであるが、これらが壁面に設置、もしくは壁に埋め込まれて設置されたものである。
【００９８】
図１４（ｃ）に示す具体例は、図１に示す構成と同様、１つの表示／操作ユニット１と２つのポスターユニット２Ａ，２Ｂとからなるものであるが、これらが壁面に設置、もしくは壁に埋め込まれて設置されたものである。かかる構成では、ポスターユニット２Ａ，２Ｂが表示／操作ユニット１の両側に分かれて配置される。
【００９９】
図１４（ｄ）に示す具体例は、２つの表示／操作ユニット１Ａ，１Ｂと３つのポスターユニット２Ａ，２Ｂ，２Ｃとからなるものであるが、これらが壁面に設置、もしくは壁に埋め込まれて設置されたものである。この場合には、表示／操作ユニット１Ａ，１Ｂとポスターユニット２Ａ，２Ｂ，２Ｃとが交互に配置され、各表示／操作ユニット１Ａ，１Ｂのディスプレイでは、その両隣りのポスターユニットに貼り付けられているポスターの詳細情報を表示する。この具体例では、表示／操作ユニット１Ａがポスターユニット２Ａ，２Ｂの詳細情報を表示し、表示／操作ユニット２Ａがポスターユニット２Ｂ，２Ｃの詳細情報を表示する。
【０１００】
なお、図１４（ｄ）に示す具体例では、これら表示／操作ユニット１Ａ，１Ｂとポスターユニット２Ａ〜２Ｃを夫々スタンドに取り付けて配置するようにしてもよい。また、図示する個数を超える表示／操作ユニット，ポスターユニットを用いることができることはいうまでもないし、さらに、表示／操作ユニットとポスターユニットとを同じ個数とし、これら表示／操作ユニットとポスターユニットとを交互に配置して、各表示／操作ユニットが一方側に配置される隣りのポスターユニットに貼り付けられるポスターの詳細情報のみを表示するようにしてもよい。但し、この場合には、各表示／操作ユニットの上下２つのディスプレイには、同じポスターの詳細情報が表示されることになる。
【０１０１】
図１５は本発明による紙媒体と連動した情報表示操作端末のコーナ部での配置方法の具体例を示す図である。なお、図１５（ａ）〜（ｄ）での情報表示操作端末は、図１に示すように、１つの表示／操作ユニット１と２つのポスターユニット２Ａ，２Ｂとからなるものである。
【０１０２】
図１５（ａ）に示す具体例は、情報表示操作端末１００をほぼ９０゜のコーナ部に配置するものであって、壁８０の一方の壁面に平行に一方のポスターユニット２Ａを配置し、他方の壁面に平行に他方のポスターユニット２Ｂを配置し、表示／操作ユニット１はこれら壁面に対して、例えば、ほぼ４５゜傾斜するように、配置したものである。
【０１０３】
図１５（ｂ）に示す具体例は、情報表示操作端末１００を同じくほぼ９０゜のコーナ部に配置するものであって、壁８０の一方の壁面に平行に一方のポスターユニット２Ａと表示／操作ユニット１とを配置し、他方の壁面に平行に他方のポスターユニット２Ｂを配置したものである。
【０１０４】
図１５（ｃ）に示す具体例は、情報表示操作端末１００を壁８０のくぼみ部の端の方に配置する場合を示すものであって、壁８０の窪み部側の壁面に平行に一方のポスターユニット２Ａを配置し、窪み部外の壁面に平行に他方のポスターユニット２Ｂを配置し、このくぼみ部の傾斜した側面に表示／操作ユニット１を配置したものである。
【０１０５】
図１５（ｄ）に示す具体例は、２つの壁面のなす角度が緩やかなコーナ部に情報表示操作端末１００を配置するものであって、壁８０の一方の壁面に平行に一方のポスターユニット２Ａと表示／操作ユニット１とを配置し、他方の壁面に平行に他方のポスターユニット２Ｂを配置したものである。
【０１０６】
図１５（ｅ）に示す具体例は、例えば、建造物内の通路や地下通路の柱８１の回りなどに情報表示操作端末１００を配置したものであって、この柱８１を囲むように、複数の表示／操作ユニット１と複数のポスターユニット２とを交互に配列して設置するものである。ここでは、４個の表示／操作ユニット１Ａ〜１Ｄと４個のポスターユニット２Ａ〜２Ｄとを交互に配置した場合を示している。
【０１０７】
このようにして、通路のコーナ部でも、また、柱がある場所でも、通行に支障を来たすことなく、かつ通常の広告板と同様、通行人に目立つようにして、情報表示操作端末１００を配置することができる。そして、複数の方向からポスターを確認でき、近づくと、表示／操作ユニット１で詳細情報を見ることができるので、より多くの人に適確な情報を提供することができる。
【０１０８】
図１６は本発明による紙媒体と連動した情報表示操作端末のさらに他の実施形態を示す外観図である。
【０１０９】
図１６（ａ）に示す実施形態は、ポスターユニット２Ａ，２Ｂの一方、例えば、ポスターユニット２Ａにパンフレットケース８２が設けられており、このパンフレットケース８２にこれらポスターユニット２Ａ，２Ｂに貼り付けられているポスターの各広告内容に対する詳細情報を案内するパンフレット８３が収納されているものである。また、このパンフレット８３には夫々、ＩＣタグが取り付けられており、パンフレットケース８２には、夫々のパンフレット８３の収納位置毎にＩＣタグリーダが設けられている。
【０１１０】
利用者がパンフレットケース８２から所望とするパンフレット８３を抜き取ると、このパンフレット８３のＩＣタグを該当するＩＣタグリーダが読み取り、読み取ったＩＣタグ情報を表示／操作ユニット１に送る。表示／操作ユニット１は、取り込んだＩＣタグ情報からどのパンフレット８３が抜き取られたかを判定し、これに該当する詳細情報をディスプレイ３ａまたは３ｂに表示する。これ以外の構成は、図１に示す実施形態と同様である。
【０１１１】
図１６（ｂ）に示す実施形態は、図１６（ａ）に示す実施形態でパンフレットケース８２のパンフレット収納位置毎にＩＣタグリーダが設けられていたのに対し、このパンフレットケース８２以外の場所にＩＣタグリーダ８４を設けたものであり、パンフレットケース８２から抜き取ったパンフレット８３をＩＣタグリーダ８４にかざすことにより、このＩＣタグリーダ８４がこのパンフレット８３のＩＣタグを読み取るようにしたものである。これ以外の構成は、図１６（ａ）に示す実施形態と同様である。
【０１１２】
図１６（ｃ）は図１６（ａ），（ｂ）に示す実施形態での表示／操作ユニット１での画面表示の一具体例を示す図である。
【０１１３】
図１６（ｃ）において、表示／操作ユニット１の、例えば、下側のディスプレイ３ｂには、ポスターユニット２Ａ側に設けられているパンフレット８３の案内画面が表示されており、この案内画面からも、パンフレット８３を選択することができる。パンフレット８３のパンフレットケース８２（図１６（ａ），（ｂ））からの引き抜きによって指定された詳細情報は、表示／操作ユニット１の上側のディスプレイ３ａに表示される。
【０１１４】
これら実施形態においても、利用者が表示／操作ユニット１にＲＦＩＤタグをかざすことにより、ディスプレイ３ａに表示されている詳細情報などを携帯電話でｅ−ｍａｉｌなどによって取得することができる。
【０１１５】
図１７は本発明による紙媒体と連動した情報表示操作端末のさらに他の実施形態を示す外観図である。
【０１１６】
この実施形態は、表示／操作ユニット１とポスターユニット２とを一体化したものであって、図１７（ａ）に示す実施形態は、１つの表示／操作ユニット１と１つのポスターユニット２とを一体化したものであり、図１７（ｂ）に示す１つの表示／操作ユニット１と２つのポスターユニット２Ａ，２Ｂとを一体化したものである。
【０１１７】
このように、情報表示操作端末１００を構成するユニットが少ない場合には、これらユニットを一体化でき、構造上作り易く、見た目でのポスターと表示操作部との関連性が分かり易いし、壁面などに取り付けたり、壁に埋め込んだりする設置作業が簡単なものとなり、また、メンテナンスも楽になる。
【０１１８】
図１８は本発明による紙媒体と連動した情報表示操作端末のさらに他の実施形態を示す外観図である。
【０１１９】
先の各実施形態では、表示／操作ユニット１に詳細情報を表示するだけの２つのディスプレイ３ａ，３ｂを設けていたが、この実施形態では、下側のディスプレイの代わりに、タッチ操作機能付きのディスプレイを用いるものである。
【０１２０】
図１８（ａ）に示す実施形態は、表示／操作ユニット１の下部にタツチパネルを備えたディスプレイ９０を設けたものである。また、図１８（ｂ）に示す実施形態は、さらに、上側のディスプレイ３ａとタッチパネル付きディスプレイ９０との間にポスター貼付面４を設け、別体としてのポスターユニット２を不要としたものである。
【０１２１】
図１８（ａ），（ｂ）において、このディスプレイ９０は、タッチパネルが設けられたその表示画面９１がやや上向きとなるように、構成されており、図１８（ｃ）に示すように、この情報表示操作端末１００に近づいた利用者２０６ａがこの表示画面９１での詳細情報を見易くし、また、表示画面９１でのタッチ操作をし易くしている。
【０１２２】
上側のディスプレイ３ａでは、先の実施形態と同様、ポスター貼付面４に貼り付けられたポスターの詳細情報が表示され、後ろの利用者２０６ｂも詳細情報が見られるようにしている。また、タッチパネルを備えたディスプレイ９０では、先の実施形態での下側のディスプレイ３ｂと同様、情報表示操作端末１００の近くでこれを見る利用者２０６ａが希望した詳細情報が表示されるが、このディスプレイ９０の表示画面９１で表示される操作画面をタッチ操作することにより、例えば、希望する詳細画面を選択して表示させるようにすることもできる。ポスター貼付面４には、ポスターに限らず、パンフレット台を設けてパンフレットを置くようにしてもよい。
【０１２３】
図１９は本発明による紙媒体と連動した情報表示操作端末のさらに他の実施形態を示す正面図である。
【０１２４】
先の各実施形態では、１つのポスターユニット２に１つのポスターを提示するものであったが、この実施形態は、複数のポスターを同時に提示することができるようにしたものである。
【０１２５】
図１９（ａ）に示す実施形態は、ポスターユニット２Ａ，２Ｂのポスター貼付部を複数のエリアに等分し、夫々のエリア毎に１枚ずつポスターを貼り付けることができるようにしたものである。ここでは、各ポスターユニット２Ａ，２Ｂに４個ずつポスターの貼付エリアを設けているが、夫々の貼付エリア毎に、これに貼付るポスターに取り付けられているＩＣタグ（図示せず）から夫々固有のＩＤ情報を読み取るためのＩＣタグリーダ（図示せず）が設けられている。
【０１２６】
そこで、ある貼付エリアにポスターが貼り付けられると、この貼付エリアでのＩＣタグリーダがこのポスターのＩＣタグからＩＤ情報を読み取り、表示／操作ユニット１に送る。この表示／操作ユニット１では、先の実施形態と同様、このＩＤ情報をもとに、ネットワークサーバ６０（図６）からこのポスターに対する詳細情報を取得し、ディスプレイ３ａ，３ｂでの表示を可能とする。
【０１２７】
かかる詳細情報の表示の仕方としては、ポスターの貼付エリア毎にディスプレイ３ａ，３ｂのいずれで表示させるかが決められており、例えば、ポスターユニット２Ａ，２Ｂのポスター貼付面４が、図示するように、上下２つずつ４等分されてポスター貼付エリアが設定されているとすると、これらポスターユニット２Ａ，２Ｂのポスター貼付面４夫々での上２つのポスター貼付エリア（図示では、ポスターＡ，Ｂ，Ｅ，Ｆが貼り付けられているエリア）に貼り付けられるポスターの詳細情報が上側のディスプレイ３ａに表示され、これらポスターユニット２Ａ，２Ｂのポスター貼付面４夫々での下２つのポスター貼付エリア（図示では、ポスターＣ，Ｄ，Ｇ，Ｈが貼り付けられているエリア）に貼り付けられるポスターの詳細情報が上側のディスプレイ３ａに表示されるようにする。
【０１２８】
また、図１９（ｂ）に示す実施形態は、ポスターユニット２Ａ，２Ｂのポスター貼付面４に夫々、ＩＣタグリーダが均一な密度で多数設けられているものであり、ポスターが貼り付けられると、いずれかのＩＣタグリーダがこのポスターのＩＣタグからＩＤ情報を読み取ることができるようにしたものである。
【０１２９】
この実施形態では、ＩＣタグリーダ毎に詳細情報を表示するディスプレイが割り当てられており、図示する例では、ポスターユニット２Ａ，２Ｂのポスター貼付面４の上側に貼り付けられるポスターに対する詳細情報は上側のディスプレイ３ａで表示され、下側に貼り付けられるポスターに対する詳細情報は下側のディスプレイ３ｂで表示されるようにしている。
【０１３０】
なお、ディスプレイ３ａ，３ｂでの詳細情報の表示方法としては、夫々に複数のポスターが貼り付けられたときには、ポスター毎に詳細情報を順番に、かつ繰り返し表示するようにする。
【０１３１】
このようにして、この実施形態では、ポスターユニット２Ａ，２Ｂに夫々複数のポスターを貼り付けることができて、夫々の詳細情報をディスプレイ３ａ，３ｂで閲覧することができる。
【図面の簡単な説明】
【０１３２】
【図１】本発明による紙媒体と連動した情報表示操作端末の一実施形態の外観を示す斜視図である。
【図２】図１に示す実施形態を各方向から見た図である。
【図３】図１における表示／操作ユニットの一具体例を示す分解斜視図である。
【図４】図１における表示／操作ユニットのスタンドユニットの一具体例を示す分解斜視図である。
【図５】図１におけるポスターユニットの一具体例を示す分解斜視図である。
【図６】図１に示す情報表示操作端末を用いた情報提供システムの一具体例を示すブロック図である。
【図７】図１に示す情報表示操作端末でのポスターの作成から貼り付けまでの作業とポスターの貼り付け状況の管理の流れを示す図である。
【図８】図１に示す情報表示操作端末を用いたシステムでのネットワークサーバからの詳細情報やＵＲＬの提供や商品の購入のための動作の流れを示す図である。
【図９】図１に示す情報表示操作端末での詳細情報の画面表示の一具体例を示す図である。
【図１０】図９に示す具体例の一変形例を示す図である。
【図１１】図９に示す具体例の他の変形例を示す図である。
【図１２】図１に示す紙媒体と連動した情報表示操作端末での詳細情報の画面表示の他の具体例を示す図である。
【図１３】図１に示す情報表示操作端末での詳細情報の画面表示の他の具体例を示す図である。
【図１４】本発明による紙媒体と連動した情報表示操作端末の他の実施形態構成とその設置方法の具体例を示す図である。
【図１５】本発明による紙媒体と連動した情報表示操作端末のコーナ部での配置方法の具体例を示す図である。
【図１６】本発明による紙媒体と連動した情報表示操作端末のさらに他の実施形態を示す外観図である。
【図１７】本発明による紙媒体と連動した情報表示操作端末のさらに他の実施形態を示す外観図である。
【図１８】本発明による紙媒体と連動した情報表示操作端末のさらに他の実施形態を示す外観図である。
【図１９】本発明による紙媒体と連動した情報表示操作端末のさらに他の実施形態を示す正面図である。
【符号の説明】
【０１３３】
１００  情報表示操作端末
１，１Ａ〜１Ｄ  表示／操作ユニット
２，２Ａ〜２Ｄ  ポスターユニット
３ａ，３ｂ  ディスプレイ
４  ポスター貼付面
５  ＩＣタグリーダ
６ａ，６ｂ  ライトユニット
７ａ，７ｂ  指向性スピーカ
８  顧客センサ
９  顧客センサ
１０  ＲＦＩＤタグ／非接触ＩＣリーダ
１１，１２Ａ，１２Ｂ  スタンド
４０  表示操作部
４１  制御部
４２  表示制御部
４３  操作制御部
４４  媒体制御部
４５  セキュリティコントローラ
４６  ＣＰＵ
４７  ネットワークコントローラ
４８  内部記憶部
４８ａ  認証ＤＢ
４８ｂ  コンテンツＤＢ
５０  ポスター
５０ａ  ＩＣタグ
６０  ネットワークサーバ
６１  個人情報ＤＢ
６２  端末情報ＤＢ
６３  ポスター情報ＤＢ
６４  コンテンツＤＢ
６５  認証ＤＢ
６６  システム制御部
６７  データ送信部
７０  携帯電話
８０  壁
８１  柱
２０６，２０６ａ，２０６ｂ  利用者
【図１】
2006030882.tif 000003
【図２】
2006030882.tif 000004
【図３】
2006030882.tif 000005
【図４】
2006030882.tif 000006
【図５】
2006030882.tif 000007
【図６】
2006030882.tif 000008
【図７】
2006030882.tif 000009
【図８】
2006030882.tif 000010
【図９】
2006030882.tif 000011
【図１０】
2006030882.tif 000012
【図１１】
2006030882.tif 000013
【図１２】
2006030882.tif 000014
【図１３】
2006030882.tif 000015
【図１４】
2006030882.tif 000016
【図１５】
2006030882.tif 000017
【図１６】
2006030882.tif 000018
【図１７】
2006030882.tif 000019
【図１８】
2006030882.tif 000020
【図１９】
2006030882.tif 000021